(57)【要約】【課題】著作物提供者からの著作物の提供と著作物利用者による著作物の利用とを行え、簡単で適正な手続によって著作物を利用できる著作物提供サーバーを提供する。【解決手段】著作物提供サーバーは、著作物提供者が指定する著作物の利用形態をレンタル契約、買取契約、アレンジ契約のうち少なくとも１つの契約形態として選択させ（販売方法決定部５ｅ）、著作物利用者は、著作物提供者が指定する利用形態のいずれかを決定して、決定された利用形態に応じた著作物を提供することを特徴とする。また、自分の好きな楽曲を秒数指定してダウンロードし、自分の声（歌やメッセージ）を録音することで、携帯電話用着信メロディやポッドキャスト用にファイルをエンコード、ミキシング、ダウンロードすることができる（エンコード部５ｆ）。【選択図】図１
2009259019.tif 000002
【特許請求の範囲】
【請求項１】
著作物提供者から提供された著作物を格納する著作物データベース部と、
著作物利用者からの要求に応じて、前記著作物データベース部に存在する著作物の検索を行う著作物検索部と、
前記著作物検索部により検索された著作物を著作物利用者に試聴させる著作物試聴部と、
前記著作物試聴部による試聴の結果、著作物利用契約を結ぶか否かの判断を要求する利用契約締結判断部と、
前記利用契約締結判断部により利用契約を結ぶと判断したときは、レンタル契約、買取契約又はアレンジ買取契約のいずれかを著作物利用者に決定させる販売方法決定部と、
を備えることを特徴とする著作物提供サーバー。
【請求項２】
前記著作物データベース部には、格納された個々の著作物に対応して登録形態が記憶され、当該登録形態は、レンタル契約、買取契約、アレンジ契約のうち著作物提供者が指定する少なくとも１つの契約形態であり、
前記販売方法決定部は、著作物提供者が指定する契約形態から著作物利用者に決定させることを特徴とする請求項１記載の著作物提供サーバー。
【請求項３】
前記販売方法決定部により買取契約が決定されたときは、買取対象となった著作物について、前記著作物データベース部からの削除又は前記著作物検索部からの検索制限を行うことを特徴とする請求項１又は２記載の著作物提供サーバー。
【請求項４】
著作物提供者から提供された著作物を格納する著作物データベース部と、
著作物利用者からの要求に応じて、前記著作物データベース部に存在する著作物の検索を行う著作物検索部と、
前記著作物検索部により検索された著作物を著作物利用者に試聴させる著作物試聴部と、
著作物利用者の電子端末から送信される音声データを入力する入力手段と、
著作物提供者から提供された著作物データに著作物利用者の電子端末から送信される音声データをエンコードして電子ファイルを生成するエンコード部と、
前記エンコード部によりエンコードされた電子ファイルを著作物利用者の電子端末に送信する出力手段と、
を備えることを特徴とする著作物提供サーバー。
【発明の詳細な説明】
【技術分野】
【０００１】
本発明は、簡単で適正な手続によって著作物を利用できる著作物提供サーバーに関する。
【背景技術】
【０００２】
近年、インターネット上には個人が作成した様々な著作物（音楽楽曲、映像等）が著作物提供者によってアップロードされている。その著作物を利用したいと考える著作物利用者は、著作物（著作物データ）をダウンロードして自己の電子端末に取り込むことができる。
【０００３】
この際、著作物利用者は著作物提供者に著作物の利用に伴う利用料を支払う形態が存在し、例えば再生回数や再生可能端末数などの条件を指定して、その条件に応じた利用料を課金するシステムがある（特許文献１参照）。
【０００４】
【特許文献１】特開２００３−３２３４４７号公報（段落［０１１４］）
【発明の開示】
【発明が解決しようとする課題】
【０００５】
しかしながら、従来のシステムでは、著作物提供者の提供する著作物をそのまま利用するのみで、著作物利用者の希望する態様で著作物を提供してもらって利用するシステムとはなっていない。もちろん、著作物利用者による改変等は技術的に可能ではあるが、著作物提供者の意図しない改変等は著作権法違反に問われるなどの問題があるため、著作物の利用にあたっては適正な手続を踏む必要がある。
【０００６】
また、著作物の適正な利用にあたり著作物利用者は著作権法や著作権等管理事業法等の正確な理解が必須ではあるが、著作物利用者にとって簡単な手続で利用するシステムが求められる。
【０００７】
このような点に鑑み、本発明の目的は、著作物提供者からの著作物の提供と著作物利用者による著作物の利用とを行え、簡単で適正な手続によって著作物を利用できる著作物提供サーバーを提供することにある。
【課題を解決するための手段】
【０００８】
以上の課題を解決するために、本発明の著作物提供サーバーは、著作物提供者が指定する著作物の利用形態をレンタル契約、買取契約、アレンジ契約のうち少なくとも１つの契約形態とし、著作物利用者は、著作物提供者が指定する利用形態のいずれかを決定して、決定された利用形態に応じた著作物を提供することにある。
【０００９】
より具体的には、本発明は、以下のものを提供する。
【００１０】
（１）  著作物提供者から提供された著作物を格納する著作物データベース部と、著作物利用者からの要求に応じて、著作物データベース部に存在する著作物の検索を行う著作物検索部と、著作物検索部により検索された著作物を著作物利用者に試聴させる著作物試聴部と、著作物試聴部による試聴の結果、著作物利用契約を結ぶか否かの判断を要求する利用契約締結判断部と、利用契約締結判断部により利用契約を結ぶと判断したときは、レンタル契約、買取契約又はアレンジ買取契約のいずれかを著作物利用者に決定させる販売方法決定部と、を備えることを特徴とする著作物提供サーバー。
【００１１】
上記構成を備える本発明によれば、著作物の利用形態（レンタル契約、買取契約、アレンジ買取契約）を著作物利用者に決定させることにより、著作物利用者の要望に沿った著作物（著作物データ）の提供が可能となる。
【００１２】
例えば、映像作家や映画監督などの著作物利用者が、適正かつ簡単な手続、利用形態に応じた適正な利用料で、自己の希望する利用形態の著作物の提供を受けることができる。また、才能あるアーティスト等の著作物提供者にとっても、著作物の適正な利用を期待して、著作物利用者とのタイアップの機会を増加させることができる。
【００１３】
（２）  著作物データベース部には、格納された個々の著作物に対応して登録形態が記憶され、この登録形態は、レンタル契約、買取契約、アレンジ契約のうち著作物提供者が指定する少なくとも１つの契約形態であり、販売方法決定部は、著作物提供者が指定する契約形態から著作物利用者に決定させることを特徴とする著作物提供サーバー。
【００１４】
上記構成を備える本発明によれば、著作物提供者は著作物の利用形態を指定し、この利用形態の範囲内での著作物利用者への利用を可能とすることから、著作物提供者の許容する範囲内での著作物の提供が可能となる。
【００１５】
（３）  販売方法決定部により買取契約が決定されたときは、買取対象となった著作物について、著作物データベース部からの削除又は著作物検索部からの検索制限を行うことを特徴とする著作物提供サーバー。
【００１６】
上記構成を備える本発明によれば、買取契約によって著作物利用者に著作物の所有権が移転したときには、その著作物の独占利用権を著作物利用者に与えるために、著作物データベース部からの著作物（データ）の削除又は著作物検索部からの著作物（データ）の検索制限を行うことで、著作物提供サーバーからその著作物が検索できないようにすることができる。
【００１７】
（４）  著作物提供者から提供された著作物を格納する著作物データベース部と、著作物利用者からの要求に応じて、著作物データベース部に存在する著作物の検索を行う著作物検索部と、著作物検索部により検索された著作物を著作物利用者に試聴させる著作物試聴部と、著作物利用者の電子端末から送信される音声データを入力する入力手段と、著作物提供者から提供された著作物データに著作物利用者の電子端末から送信される音声データをエンコードして電子ファイルを生成するエンコード部と、エンコード部によりエンコードされた電子ファイルを著作物利用者の電子端末に送信する出力手段と、を備えることを特徴とする著作物提供サーバー。
【００１８】
上記構成を備える本発明によれば、自分の好きな楽曲を秒数指定してダウンロードし、自分の声（歌やメッセージ）を録音することで、携帯電話用着信メロディやポッドキャスト用にファイルをエンコード、ミキシング、ダウンロードすることができる。
【発明の効果】
【００１９】
以上のように本発明は、著作物利用者は著作物提供者が指定する著作物の利用形態の範囲内で利用形態を決定して、決定された利用形態に応じた著作物を提供するという、簡単で適正な手続によって著作物を利用できる著作物提供サーバーである。
【発明を実施するための最良の形態】
【００２０】
以下、本発明の実施の形態に係る情報分析システムについて、図面をもとに説明する。
【００２１】
図１は、本発明の実施の形態に係る著作物提供サーバーのブロック図である。
【００２２】
著作物提供サーバーは、入力手段１、出力手段２、入出力制御手段３、記憶手段４、データ処理手段５を有し、各手段はバスにより接続され、以下に詳述するそれぞれの機能が実行される。
【００２３】
入力手段１は、著作物提供者や著作物利用者の電子端末からの各種データや各種指令の入力を受け付けるものである。また、出力手段２は、著作物提供者や著作物利用者の電子端末に各種データや各種指令を送出するものである。著作物提供サーバーと著作物提供者や著作物利用者の電子端末とは、インターネット等の電気通信回線を通じて接続される。
【００２４】
入出力制御手段３は、入力手段１を通じて指令又は入力された内容を解釈してこれをデータ処理手段５に与えるとともに、データ処理手段５から発せられる各種の指令を解釈して出力手段２に対する出力制御を行うインターフェースとして機能する。また、記憶手段４に入力手段１に入力された各種データを書き込んだり、出力手段２に出力する各種データを読み込んだりするインターフェースとして機能する。
【００２５】
記憶手段４は、メインメモリ（ＲＡＭ）におかれる作業領域４ａと、ディスク装置（フロッピーディスク、ハードディスク又は光磁気ディスク等）等の二次記憶装置におかれるデータ記憶領域４ｂと、画面定義記憶領域４ｃと、を有している。
【００２６】
作業領域４ａは、本サーバーの運用とともに確保されて、入力された各種データが一時的に記憶される領域である。データ記憶領域４ｂは、作業領域４ａに一時的に記憶されたデータについてセーブ要求があったときに、書き込み制御を通じてデータが半恒久的に記憶される領域である。画面定義記憶領域４ｃは、出力手段２を介して著作物提供者や著作物利用者の電子端末の表示部に表示すべき各種画面の画面定義情報が予め記憶された領域である。
【００２７】
データ記憶領域４ｂは、著作物提供者から提供され著作物利用者により利用される著作物の著作物データを記憶する著作物データベース４ｂ1と、著作物提供者用や著作物利用者用の利用契約書の利用契約データを記憶する利用契約データベース４ｂ2と、利用形態ごとの利用料の利用料データを記憶する課金データベース４ｂ3と、著作物の検索にあたり検索テーマを分類化して記憶する検索分類データベース４ｂ4と、に区画される。
【００２８】
データ処理手段５は、著作物入力部５ａと、著作物検索部５ｂと、著作物試聴部５ｃと、利用契約締結判断部５ｄと、販売方法決定部５ｅと、エンコード部５ｆと、を有する。
【００２９】
著作物入力部５ａは、著作物提供者から提供される著作物データの入力を受け付けて、著作物データベース４ｂ1に格納することで、著作物提供サーバーへのアップロード処理を行うものである。
【００３０】
著作物検索部５ｂは、著作物利用者からの検索要求に従って検索分類データベース４ｂ4の検索タームに基づき著作物データベース４ｂ1内を検索するものである。
【００３１】
著作物試聴部５ｃは、著作物データベース４ｂ1内の著作物データを試聴可能なデータに加工・編集し、或いは、他のデータベース（試聴データベース）から試聴可能な著作物データを取り込んで、著作物利用者に一時提供するものである。例えば、音楽楽曲の場合は、最初の３０秒間だけ試聴可能なように著作物利用者に試聴用データを提供し、その提供はストリーミングによることが好ましい。
【００３２】
利用契約締結判断部５ｄは、試聴の結果、著作物利用契約を結ぶか否かの判断を著作物利用者に求めて、その判断結果を受け取る。
【００３３】
販売方法決定部５ｅは、著作物提供者が指定する契約形態、著作物利用者が決定する契約形態を受け取る。複数の著作物利用者に提供可能で提供期間の設定も可能なレンタル契約、単数（１個人、１グループ）の著作物利用者のみに提供可能な買取契約、著作物利用者の要望に沿ったアレンジ（歌詞のアレンジ、タイトルのアレンジ等）をするアレンジ契約などを設定可能である。
【００３４】
次に、著作物提供者が著作物提供サーバーに楽曲を提供するシステムについて、図２及び図３を用いて説明する。図２は、著作物提供サーバーにて実行される処理手順を示すフロー図であり、図３は、処理手順の詳細を示す図である。なお、ＪＡＳＲＡＣやｅ−ｌｉｃｅｎｓｅなどの音楽管理協会に登録されている楽曲は、そのコードで楽曲の管理が可能であるが、音楽管理協会に登録されていない楽曲は、ＩＳＲＣ（日本レコード協会による国際コード）を付与することで、そのコードで楽曲の管理が可能である。
【００３５】
著作物提供者が著作物提供サーバーに著作物を提供するためにアクセスすると、入力手段１からデータ処理手段５に著作物入力のための処理を指令し、著作物入力部５ａによる処理が開始される。すなわち、図２において、システム利用規約に同意するか否かの判断を出力手段２を介して著作物提供者に促し（ステップＳ１）、同意するとの回答入力を得た場合は、次のステップに進む一方、同意しないとの回答入力を得た場合は、本サブルーチンを終了する。システム利用規約同意書は、利用契約データベース４ｂ2に電子的に格納されており、著作物入力部５ａからの指令により出力手段２を介して著作物提供者の電子端末に表示される。図３のＴ１は、システム利用規約同意書の内容を示す。
【００３６】
ステップＳ１において同意するとの回答入力を得た場合は、著作物提供者の連絡先を記入する処理が開始される（ステップＳ２）。図３のＴ２は、その一例である。
【００３７】
次に、登録形態選択の処理が開始される（ステップＳ３）。すなわち、レンタル、買取、アレンジ買取のうち著作物提供者が希望する契約形態をチェックボックスにチェックして選択すると、その情報は販売方法決定部５ｅに送られる。その他、図３のＴ３に示すように、必要な形態を選択する。
【００３８】
次に、楽曲アップロードの処理が開始される（ステップＳ４）。曲名入力、サンプル用楽曲のアップロード、フルタイム楽曲のアップロード、ファイル形式の確認など、図３のＴ４に示す処理が行われる。なお、フルタイム楽曲のアップロードのみが行われてサンプル用楽曲のアップロードが行われない場合は、著作物提供サーバーは提供された著作物データをもとに例えば先頭から３０秒の部分のみを取り出して、それをサンプル用楽曲として編集することもできる。提供された楽曲は、著作物データベース４ｂ1に楽曲情報とともに格納される。
【００３９】
以上が、著作物提供者が著作物提供サーバーに楽曲を提供する流れであるが、その他必要に応じて、著作物提供者は、楽曲の検索に用いられる検索内容を設定することができる。設定された情報は、検索分類データベース４ｂ4に格納される。
【００４０】
図３のＴ５に検索内容の設定例を示すが、音楽ジャンルの選択、演奏構成の選択、楽曲イメージに合う言葉、映像・ゲーム・アニメのリンクタイプ、その他作品から思い浮かべられる任意の表現等の入力が可能である。
【００４１】
これらの情報の入力が完了すると、仮契約、審査、本登録契約となる。
【００４２】
次に、著作物利用者が著作物提供サーバーから楽曲を取得するシステムについて、図４を用いて説明する。図４は、著作物提供サーバーにて実行される処理手順を示すフロー図である。
【００４３】
著作物利用者が著作物提供サーバーから著作物の提供を受けるためにアクセスすると、入力手段１からデータ処理手段５に著作物取得のための処理を指令する。
【００４４】
ます、著作物検索部５ｂによって、著作物の検索が開始される（ステップＳ１０〜ステップＳ１２）。例えば、音楽ジャンル選択、演奏構成選択、フリーワード入力によって、著作物の検索が可能である。
【００４５】
次に、利用形態選択の処理が開始され（ステップＳ１３）、各分野のジャンルを選択する。
【００４６】
検索テーマの入力を終えると、検索が行われる（ステップＳ１４）。そして、検索テーマに沿った音楽（楽曲）がヒットしたか否かを判断し（ステップＳ１５）、ヒットした場合は、次のステップに進む一方、ヒットしなかった場合は、ステップＳ１０に処理を戻して、検索テーマの再入力を促す。
【００４７】
ステップＳ１５においてヒットしたと判定された場合は、著作物試聴部５ｃにより試聴の処理が開始される（ステップＳ１６）。
【００４８】
次に、契約するか否かの判断を著作物利用者に求め（ステップＳ１７）、契約するとの回答入力を得た場合は、次のステップに進む一方、契約しないとの回答入力を得た場合は、本サブルーチンを終了する。
【００４９】
ステップＳ１７において契約するとの回答入力を得たと判定した場合は、契約形態の確認処理が行われる。すなわち、レンタル、買取、アレンジ買取のうち著作物利用者が希望する契約形態をチェックボックスにチェックして選択すると、その情報は販売方法決定部５ｅに送られる。ここでは、著作物提供者が希望する契約形態の中からしか選択できないように、著作物提供者が希望しない契約形態は予め削除しておくか、選択できないようにしておくことができる。
【００５０】
これらの情報の入力が完了すると、審査（ステップＳ１９）、本契約（ステップＳ２０）となり、本サブルーチンを終了する。
【００５１】
次に、著作物利用者が著作物提供サーバーから楽曲に自分の声を録音してミキシングすることができるシステムについて、図５を用いて説明する。図５は、著作物提供サーバーにて実行される処理手順を示すフロー図である。これは、自分の好きな楽曲（ＪＡＳＲＡＣ等管理団体の登録楽曲を含む）を秒数指定してダウンロードし、自分の声（歌やメッセージ）を録音することで、携帯電話用着信メロディやポッドキャスト用にファイルをエンコード、ミキシング、ダウンロードすることができるものである。
【００５２】
著作物利用者が著作物提供サーバーに著作物の提供を受けるためにアクセスすると、入力手段１からデータ処理手段５に著作物取得のための処理を指令し、著作物利用契約締結判断部５ｄによる処理が開始される。すなわち、図５において、システム利用規約に同意するか否かの判断を出力手段２を介して著作物利用者に促し（ステップＳ３０）、同意するとの回答入力を得た場合は、次のステップに進む一方、同意しないとの回答入力を得た場合は、本サブルーチンを終了する。システム利用規約同意書は、利用契約データベース４ｂ2に電子的に格納されており、利用契約締結判断部５ｄからの指令により出力手段２を介して著作物利用者の電子端末に表示される。
【００５３】
ステップＳ１において同意するとの回答入力を得た場合は、利用方法を記入する処理が開始される（ステップＳ３１）。
【００５４】
次に、著作物検索部５ｂによって、著作物の検索が開始され、著作物利用者の要望に沿った楽曲がヒットすれば、その楽曲を試聴することができる（ステップＳ３２２）。著作物の検索は、前述した、例えば、音楽ジャンル選択、演奏構成選択、フリーワード入力によって可能である。
【００５５】
試聴後、著作物利用者の電子端末にストリーム配信される楽曲を聴きながら、自分の声を録音して取り込む（ステップＳ３３）。具体的には、出力手段２を介して著作物提供サーバーから楽曲データが著作物利用者の電子端末に送信され、楽曲が出力される。一方で、入力手段１を介して著作物利用者の電子端末から音声データが著作物提供サーバーに送信される。
【００５６】
入力された音声データは、著作物データベース４ｂ1から取り込まれる楽曲データとともにエンコード部５ｆでエンコードされる（ステップＳ３４）。
【００５７】
次に、エンコードされたファイルを試聴するか否かの判断を著作物利用者に求め（ステップＳ３５）、試聴するとの回答入力を得た場合は、次のステップＳ３６に進む一方、試聴しないとの回答入力を得た場合は、ステップＳ３６を実行せずにステップＳ３７に進む。
【００５８】
ステップＳ３５において試聴するとの回答入力を得たと判定した場合は、試聴の処理が行われ（ステップＳ３６）、エンコードされたファイルを出力手段２を介して著作物利用者の電子端末にダウンロード不可能なファイルとして送信する。
【００５９】
次に、エンコードされたファイルをダウンロードするか否かの判断を著作物利用者に求め（ステップＳ３７）、ダウンロードするとの回答入力を得た場合は、次のステップＳ３８に進む一方、ダウンロードしないとの回答入力を得た場合は、ステップＳ３８を実行せずにステップＳ３９に進む。
【００６０】
ステップＳ３７においてダウンロードするとの回答入力を得たと判定した場合は、課金処理を経た後でダウンロードの処理が行われ（ステップＳ３８）、エンコードされたファイルを出力手段２を介して著作物利用者の電子端末にダウンロード可能なファイルとして送信する。課金処理は、課金データベース４ｂ3の課金データに基づいて利用料が販売方法決定部５ｅで算出される。
【００６１】
次に、再検索するか否かの判断を著作物利用者に求め（ステップＳ３９）、再検索するとの回答入力を得たと判定した場合は、ステップＳ３２に処理を戻す一方、再検索しないとの回答入力を得たと判定した場合は、本サブルーチンを終了する。
【産業上の利用可能性】
【００６２】
本発明に係る著作物提供サーバーは、著作物提供者にとって著作物利用者とのタイアップの機会を増加させ、著作物利用者にとって自己の要望に沿う契約形態やアレンジが可能な著作物を入手できるものとして有用である。
【図面の簡単な説明】
【００６３】
【図１】本発明の実施の形態に係る著作物提供サーバーのブロック図。
【図２】著作物提供サーバーにて実行される処理手順を示すフロー図。
【図３】図２の処理手順の詳細を示す図。
【図４】著作物提供サーバーにて実行される処理手順を示すフロー図。
【図５】著作物提供サーバーにて実行される処理手順を示すフロー図。
【符号の説明】
【００６４】
１  入力手段
２  出力手段
３  入出力制御手段
４  記憶手段
５  データ処理手段
【図１】
2009259019.tif 000003
【図２】
2009259019.tif 000004
【図３】
2009259019.tif 000005
【図４】
2009259019.tif 000006
【図５】
2009259019.tif 000007